(57)【要約】【課題】集音手段の指向性変更範囲を有効利用する画像記録装置を提供すること。【解決手段】画像記録装置は、撮影光学系を通して被写体像を撮像する撮像手段と、撮影光学系の特性情報を取得する情報取得手段と、集音手段と、集音手段の指向性を第１指向性から第２指向性の範囲で変更する指向性変更手段と、第１指向性から第２指向性までの全範囲にわたり、取得した特性情報に基づいて集音手段の指向性を変更するように指向性変更手段を制御する制御手段とを備える。【選択図】図１
2012010134.tif 000002
【特許請求の範囲】
【請求項１】
撮影光学系を通して被写体像を撮像する撮像手段と、
前記撮影光学系の特性情報を取得する情報取得手段と、
集音手段と、
前記集音手段の指向性を第１指向性から第２指向性の範囲で変更する指向性変更手段と、
前記第１指向性から前記第２指向性までの全範囲にわたり、前記取得した特性情報に基づいて前記集音手段の指向性を変更するように前記指向性変更手段を制御する制御手段と、を備えることを特徴とする画像記録装置。
【請求項２】
請求項１に記載の画像記録装置において、
前記制御手段は、前記撮影光学系の焦点距離情報または被写界深度情報に応じて前記集音手段の指向性を変更するように前記指向性変更手段を制御することを特徴とする画像記録装置。
【請求項３】
請求項２に記載の画像記録装置において、
前記制御手段は、前記撮影光学系がズーム光学系であって、かつ設定されている絞り値に基づいてシャッター速度を制御する絞り優先モードである場合に、前記撮影光学系の被写界深度情報に応じて前記集音手段の指向性を変更するように前記指向性変更手段を制御することを特徴とする画像記録装置。
【請求項４】
請求項２に記載の画像記録装置において、
前記制御手段は、前記撮影光学系がズーム光学系であって、かつ設定されている絞り値に基づいてシャッター速度を制御する絞り優先モードでない場合に、前記撮影光学系の焦点距離情報に応じて前記集音手段の指向性を変更するように前記指向性変更手段を制御することを特徴とする画像記録装置。
【請求項５】
請求項２に記載の画像記録装置において、
前記制御手段は、前記撮影光学系が単焦点光学系である場合に、前記撮影光学系の被写界深度情報に応じて前記集音手段の指向性を変更するように前記指向性変更手段を制御することを特徴とする画像記録装置。
【請求項６】
請求項２に記載の画像記録装置において、
前記制御手段は、前記撮影光学系がマイクロ光学系である場合に、前記撮影光学系の被写界深度情報に応じて前記集音手段の指向性を変更するように前記指向性変更手段を制御することを特徴とする画像記録装置。
【請求項７】
請求項２〜６のいずれか一項に記載の画像記録装置において、
前記制御手段は、前記撮影光学系の焦点距離の長短領域で前記集音手段の指向性の変化率が異なる、または、前記撮影光学系の被写界深度の深浅領域で前記集音手段の指向性の変化率が異なるように、前記指向性変更手段を制御することを特徴とする画像記録装置。
【発明の詳細な説明】
【技術分野】
【０００１】
本発明は、画像記録装置に関する。
【背景技術】
【０００２】
撮影レンズの画角に応じてマイクの指向性を変えて集音する技術が知られている（特許文献１参照）。
【先行技術文献】
【特許文献】
【０００３】
【特許文献１】特開２００８−２７１０８２号公報
【発明の概要】
【発明が解決しようとする課題】
【０００４】
特許文献１では、ファインダ内の被写体の音を集音し、ファインダから外れた被写体の音を集音しないようにマイクの指向性が制御される。このため、広角ズームレンズが使用される場合はマイクの広指向性領域のみが使われ、望遠ズームレンズが使用される場合はマイクの狭指向性領域のみが使われることとなり、マイクの指向性が十分活かされないという問題があった。
【課題を解決するための手段】
【０００５】
本発明による画像記録装置は、撮影光学系を通して被写体像を撮像する撮像手段と、撮影光学系の特性情報を取得する情報取得手段と、集音手段と、集音手段の指向性を第１指向性から第２指向性の範囲で変更する指向性変更手段と、第１指向性から第２指向性までの全範囲にわたり、取得した特性情報に基づいて集音手段の指向性を変更するように指向性変更手段を制御する制御手段とを備えることを特徴とする。
【発明の効果】
【０００６】
本発明による画像記録装置では、集音手段の指向性変更範囲を有効利用できる。
【図面の簡単な説明】
【０００７】
【図１】本発明の一実施の形態による電子カメラの構成例を説明するブロック図である。
【図２】指向性の可変状態を例示する図である。
【図３】電子カメラの背面図である。
【図４】操作メニュー画面を例示する図である。
【図５】指向性と焦点距離との関連付けの一例を説明する図である。
【図６】指向性と被写界深度との関連付けの一例を説明する図である。
【図７】指向性制御のための関連づけを決定する処理の流れを説明するフローチャートである。
【図８】指向性と焦点距離との関連付けに用いる重みの一例を説明する図である。
【発明を実施するための形態】
【０００８】
以下、図面を参照して本発明を実施するための形態について説明する。図１は、本発明の一実施の形態による電子カメラ１の構成例を説明するブロック図である。図１において、電子カメラ１に交換式のレンズ鏡筒５０が装着されている。電子カメラ１は、撮像素子１２と、ＡＦＥ(Analog front end)回路１３と、画像処理回路１４と、スピーカ駆動回路１５と、スピーカ１６と、ＬＣＤモニタ１７と、ＲＡＭ１８と、フラッシュメモリ１９と、ＣＰＵ２０と、メモリカードインターフェース(I/F)２１と、操作部材２２と、指向性可変マイク２３と、音声処理回路２４とを備える。レンズ鏡筒５０は、撮影光学系５１と、絞り５２と、レンズＣＰＵ５３とを含む。
【０００９】
ＣＰＵ２０、ＲＡＭ１８、フラッシュメモリ１９、メモリカードインターフェース２１、音声処理回路２４、画像処理回路１４、スピーカ駆動回路１５およびＬＣＤモニタ１７は、それぞれがバス２５を介して接続されている。
【００１０】
撮像素子１２は、受光素子が撮像面に二次元配列されたＣＭＯＳイメージセンサなどによって構成される。撮像素子１２は、撮影光学系５１によって結像された被写体像を光電変換してアナログ画像信号を生成する。アナログ画像信号は、ＡＦＥ回路１３に入力される。
【００１１】
ＡＦＥ回路１３は、アナログ画像信号に対して相関二重サンプリングやゲイン調整などのアナログ処理を行うとともに、アナログ処理後の画像信号をデジタル画像データに変換する。デジタル画像データは画像処理回路１４に入力される。画像処理回路１４は、デジタル画像データに対して各種の画像処理（色補間処理、階調変換処理、輪郭強調処理、ホワイトバランス調整処理、画像圧縮処理、画像伸張処理など）を施す。
【００１２】
スピーカ駆動回路１５は、ＣＰＵ２０から送出された音声データに基づいて、たとえば操作音、音声メッセージ、再生音などの音声再生信号を生成する。スピーカ１６は、音声再生信号に基づいて音声再生を行う。
【００１３】
ＬＣＤモニタ１７は液晶パネルによって構成され、ＣＰＵ２０からの指示に応じて再生画像や操作メニュー画面などを表示する。ＲＡＭ１８はＣＰＵ２０のワークメモリとして使用される。また、ＲＡＭ１８は、画像処理回路１４による画像処理の前工程や後工程でのデジタル画像データを一時的に記憶する。フラッシュメモリ１９は、ＣＰＵ２０に実行させるプログラムを記憶する。
【００１４】
ＣＰＵ２０は、フラッシュメモリ１９が記憶するプログラムを実行することによって電子カメラ１が行う動作を制御する。ＣＰＵ２０は、ＡＦ（オートフォーカス）動作制御や、自動露出（ＡＥ）演算も行う。ＡＦ動作は、たとえば、スルー画像のコントラスト情報に基づいて撮影光学系５１の合焦位置を求めるコントラスト検出方式を用いる。スルー画像は、撮影指示前に撮像素子１２によって所定の時間間隔（たとえば３０コマ／毎秒）で繰り返し取得されるモニタ用画像のことをいう。
【００１５】
ＣＰＵ２０はさらに、レンズ鏡筒５０のレンズＣＰＵ５３との間で通信を行い、撮影光学系５１の特性を示す情報を取得する。特性情報には、焦点距離情報（ズームレンズの場合はワイド端およびテレ端を示す値と、現在設定されている焦点距離を示す値、単焦点の場合はその値）、絞り情報（開放Ｆ値、最小絞りを示す値と、現在の絞り込み段数を示す値）、種別情報（ズームレンズ、単焦点レンズ、マイクロレンズなどを区別する情報）が含まれる。ＣＰＵ２０は、レンズＣＰＵ５３との間の通信が成立しない場合、レンズＣＰＵ５３を搭載していないレンズ鏡筒であると判断する。
【００１６】
メモリカードインターフェース２１はコネクタ（不図示）を有し、該コネクタにメモリカードなどの記憶媒体３１が接続される。メモリカードインターフェース２１は、接続された記憶媒体３１に対するデータの書き込みや、記憶媒体３１からのデータの読み込みを行う。記憶媒体３１は、半導体メモリを内蔵したメモリカードなどで構成される。
【００１７】
操作部材２２は、後述するレリーズボタン２２ａ、ズームスイッチ２２ｂ  ２２ｃ、十字スイッチ２２ｇ、メニュースイッチ２２ｅなどを含む（図２）。操作部材２２は、モード切替え操作やメニュー選択操作など、各操作に応じた操作信号をＣＰＵ２０へ送出する。
【００１８】
指向性可変マイク２３は、集音範囲、すなわち指向性制御機能を備えたマイクであり、特許文献１に開示されるマイクと同様のものである。指向性可変マイク２３は、ＣＰＵ２０からの制御信号に応じて指向性を変化させる。図２は、指向性の可変状態を例示する図である。図２において、広指向性２３１から狭指向性２３５まで多段階の指向性を例示する。広指向性２３１は、最も集音範囲が広い指向性に相当し、狭指向性２３５は、最も集音範囲が狭い指向性に相当する。
【００１９】
音声処理回路２４は、指向性可変マイク２３で集音された音声信号を増幅し、増幅後の信号をＡ／Ｄ変換回路（不図示）によってデジタル音声データに変換する。
【００２０】
撮影光学系５１は、たとえば、ズームレンズやフォーカシングレンズを含む複数のレンズ群で構成され、被写体像を撮像素子１２の撮像面に結像させる。なお、図１を簡単にするため、撮影光学系５１を単レンズとして図示している。絞り５２は、撮像素子１２へ通過させる光束を制限する。レンズＣＰＵ５３は、電子カメラ１のＣＰＵ２０との間で通信を行い、ＣＰＵ２０からの求めに応じて必要な情報を送信する。
【００２１】
本実施形態の電子カメラ１は、静止画撮影の他に、動画撮影が可能に構成されている。動画撮影では、所定のフレームレート（たとえば、６０フレーム／毎秒）で被写体像を撮像し、撮像した複数フレームの画像を動画像ファイルとして記憶媒体３１に記録する。そして、動画撮影時には、指向性可変マイク２３で集音された音声を記録する録音が可能である。ＣＰＵ２０は音声処理回路２４へ指示を送り、動画撮影中に指向性可変マイク２３で集音された音声信号を逐次増幅し、デジタル音声データに変換させる。ＣＰＵ２０は、音声データを記録する音声ファイル内のヘッダ領域（タグ領域）に、動画撮影中に録音した音声であることを示す情報を含める。そして、メモリカードインターフェース２１へ指示を送り、音声ファイルとして記憶媒体３１に記録させる。
【００２２】
本実施形態は、指向性可変マイク２３の指向性制御に特徴を有するので、以降の説明は指向性制御を中心に行う。ＣＰＵ２０は、設定されるマイクモードにしたがって、動画撮影時に上述した指向性制御を行う。指向性制御を行うか否かの設定は、モードスイッチ２２ｄの押下操作に応じて切替え設定してもよいし、メニュースイッチ２２ｅの押下操作に応じて表示する「操作メニュー」画面の中で切替え設定を行うようにしてもよい。
【００２３】
電子カメラ１は、２通りの指向性制御モードを備える。１つは、装着されているレンズ鏡筒５０による被写界深度に応じて指向性可変マイク２３の指向性を制御する「被写界深度モード」である。もう１つは、装着されているレンズ鏡筒５０の焦点距離に応じて指向性可変マイク２３の指向性を制御する「ズームモード」である。ＣＰＵ２０は、指向性制御を行うか否かの設定、および指向性制御を行う場合に「被写界深度モード」で行うか「ズームモード」で行うかの切り替え設定操作について、以下のように受け付ける。
【００２４】
図３は、電子カメラ１の背面図である。電子カメラ１の背面には、ＬＣＤモニタ１７と、ズームスイッチ２２ｂ（Ｔ）と、ズームスイッチ２２ｃ（Ｗ）と、モードスイッチ２２ｄと、メニュースイッチ２２ｅと、削除スイッチ２２ｆと、十字スイッチ２２ｇと、ＯＫスイッチ２２ｈとが設けられている。
【００２５】
ＣＰＵ２０は、メニュースイッチ２２ｅが押下操作されると、図４に例示するような操作メニュー画面をＬＣＤモニタ１７に表示させる。図４は、メニューのうち「マイクモード設定」画面を例示する。「マイクモード設定」メニューには、「被写界深度モード」項目１７１と、「ズームモード」項目１７２と、「指向性制御オフ」項目１７３とが含まれる。ＣＰＵ２０は、操作メニュー画面を表示中に十字スイッチ２２ｇが上下方向に押下操作されると、操作信号に応じて選択項目を上下に変更する。ＣＰＵ２０は、「ズームモード」項目１７２を選択した状態で十字スイッチ２２ｇが右方向に押下操作されると、指向性制御を「ズームモード」で行う設定をする。
【００２６】
なお、指向性制御を「被写界深度モード」で行う場合や、指向性制御を行わない「指向性制御オフ」設定をする場合も同様である。
【００２７】
＜ズームモード＞
「ズームモード」設定した場合のＣＰＵ２０は指向性可変マイク２３へ指示を送り、レンズ鏡筒５０における焦点距離に応じて指向性を変化させて、動画撮影時の録音を行う。図５は、指向性と焦点距離との関連付けの一例を説明する図である。図５において、焦点距離が１８mm−２００mm（３５mm版換算）に相当するズームレンズと、焦点距離が１８mm−５５mm（３５mm版換算）に相当するズームレンズの場合を例示する。
【００２８】
ＣＰＵ２０は、装着されているレンズ鏡筒５０の撮影光学系５１がズームレンズである場合、焦点距離が最長（テレ端）に相当する場合を狭指向性２３５（図２）とし、焦点距離が最短（ワイド端）に相当する場合を広指向性２３１（図２）とする。ＣＰＵ２０は、焦点距離がテレ端とワイド端との間に相当する場合は、焦点距離に応じて指向性を線形（リニア）に変化させる。具体的には、焦点距離に応じて指向性を段階的に変化させる。ここで、装着されているズームレンズがいわゆる望遠系のズームレンズ、標準系のズームレンズ、および広角系のズームレンズにかかわらず、それぞれテレ端に相当する場合を狭指向性２３５に、ワイド端に相当する場合を広指向性２３１とする。
【００２９】
＜被写界深度モード＞
「被写界深度モード」設定した場合のＣＰＵ２０は指向性可変マイク２３へ指示を送り、レンズ鏡筒５０による被写界深度に応じて指向性を変化させて、動画撮影時の録音を行う。図６は、指向性と被写界深度との関連付けの一例を説明する図である。図６において、焦点距離が１８mm−２００mm（３５mm版換算）に相当するズームレンズと、焦点距離が１８mm−５５mm（３５mm版換算）に相当するズームレンズの場合を例示する。
【００３０】
ＣＰＵ２０は、装着されているレンズ鏡筒５０の撮影光学系５１がズームレンズである場合、焦点距離が最長（テレ端）であって、絞り値が開放Ｆ値に相当する場合を狭指向性２３５（図２）とし、焦点距離が最短（ワイド端）であって、絞り値が最小絞りに相当する場合を広指向性２３１（図２）とする。ＣＰＵ２０は、絞り５２の絞り値が開放絞りと最小絞りとの間に位置する場合は、被写界深度に応じて指向性を線形（リニア）に変化させる。具体的には、絞り段数に対応する被写界深度に応じて指向性を段階的に変化させる。
【００３１】
ＣＰＵ２０はさらに、焦点距離がテレ端とワイド端との間に位置する場合は、被写界深度に応じて指向性を線形（リニア）に変化させる。具体的には、焦点距離に対応する被写界深度に応じて指向性を段階的に変化させる。ここで、装着されているズームレンズがいわゆる望遠系のズームレンズ、標準系のズームレンズ、および広角系のズームレンズにかかわらず、それぞれテレ端で開放Ｆ値に相当する場合を狭指向性２３５に、ワイド端で最小絞りに相当する場合を広指向性２３１とする。
【００３２】
＜指向性制御オフ＞
「指向性制御オフ」設定した場合のＣＰＵ２０は指向性可変マイク２３へ指示を送り、指向性可変マイク２３の指向性を所定状態に固定（たとえば、広指向性２３１）して動画撮影時の録音を行う。
【００３３】
ＣＰＵ２０が、指向性制御のために指向性と焦点距離または被写界深度との関連づけを決定する処理の流れについて、図７に例示するフローチャートを参照して説明する。電子カメラ１のＣＰＵ２０は、メインスイッチがオン操作されている状態で、図７による処理を行うプログラムを所定時間ごとに行う。
【００３４】
図７のステップＳ１１において、ＣＰＵ２０はレンズ鏡筒５０が装着されているか否かを判定する。ＣＰＵ２０は、レンズ鏡筒５０が装着されている場合にステップＳ１１を肯定判定してステップＳ１２へ進み、レンズ鏡筒５０が装着されていない場合にはステップＳ１１を否定判定し、ステップＳ２１へ進む。
【００３５】
ステップＳ１２において、ＣＰＵ２０は、レンズＣＰＵ５３との通信によってレンズ情報（撮影光学系５１の特性を示す情報）を取得してステップＳ１３へ進む。ステップＳ１３において、ＣＰＵ２０は、装着されているレンズ鏡筒５０がズームレンズか否かを判定する。ＣＰＵ２０は、レンズ情報に基づいてズームレンズであることを判定した場合にステップＳ１３を肯定判定してステップＳ１４へ進む。ＣＰＵ２０は、ズームレンズであることを判定していない場合にはステップＳ１３を否定判定し、ステップＳ１７へ進む。
【００３６】
ステップＳ１４において、ＣＰＵ２０は、撮影モードが「絞り優先」モード、またはマイクモードが「被写界深度モード」か否かを判定する。「絞り優先」モードは、設定されている絞り値で適正露出が得られるようにシャッター速度を制御して制御露出を決定するモードであり、あらかじめ操作メニュー画面において設定される。
【００３７】
ＣＰＵ２０は、撮影モードとして「絞り優先」モードが設定されている場合、またはマイクモードとして上記「ズームモード」が設定されている場合に、ステップＳ１４を肯定判定してステップＳ１５へ進む。ＣＰＵ２０は、撮影モードとして「絞り優先」モードが設定されておらず、かつマイクモードとして「ズームモード」が設定されていない場合には、ステップＳ１４を否定判定してステップＳ１６へ進む。
【００３８】
ステップＳ１５において、ＣＰＵ２０は、図６に例示したレンズ鏡筒５０による被写界深度に応じて指向性を変化させるように、被写界深度と指向性可変マイク２３の指向性とを関連づける設定を行って図７による処理を終了する。これにより、上記「被写界深度モード」の処理を行う。
【００３９】
ステップＳ１６において、ＣＰＵ２０は、図５に例示したレンズ鏡筒５０における焦点距離に応じて指向性を変化させるように、焦点距離と指向性可変マイク２３の指向性とを関連づける設定を行って図７による処理を終了する。これにより、上記「ズームモード」の処理を行う。
【００４０】
上述したステップＳ１３を否定判定して進むステップＳ１７において、ＣＰＵ２０は、装着されているレンズ鏡筒５０が単焦点レンズか否かを判定する。ＣＰＵ２０は、レンズ情報に基づいて単焦点レンズであることを判定した場合にステップＳ１７を肯定判定してステップＳ１８へ進む。ＣＰＵ２０は、単焦点レンズであることを判定していない場合にはステップＳ１７を否定判定し、ステップＳ１９へ進む。
【００４１】
ステップＳ１７において、ＣＰＵ２０は、図６に例示したレンズ鏡筒５０による絞り値に応じて指向性を変化させるように、絞り値と指向性可変マイク２３の指向性とを関連づける設定を行って図７による処理を終了する。ここで、単焦点の場合は焦点距離が固定なので、絞り値が開放Ｆ値に相当する場合を狭指向性２３５（図２）とし、絞り値が最小絞りに相当する場合を広指向性２３１（図２）とする。ＣＰＵ２０は、絞り５２の絞り値が開放絞りと最小絞りとの間に位置する場合は、絞り値に応じて指向性を線形（リニア）に変化させる。具体的には、絞り段数に応じて指向性を段階的に変化させる。
【００４２】
ここで、装着されている単焦点レンズがいわゆる望遠系、標準系、および広角系のレンズにかかわらず、それぞれ開放Ｆ値に相当する場合を狭指向性２３５に、最小絞りに相当する場合を広指向性２３１とする。以上により、絞り値と指向性とを関連づける場合にも、上記「被写界深度モード」の処理と同様に行い得る。
【００４３】
上述したステップＳ１７を否定判定して進むステップＳ１９において、ＣＰＵ２０は、装着されているレンズ鏡筒５０がマイクロレンズか否かを判定する。マイクロレンズは、近接撮影用の撮影レンズである。ＣＰＵ２０は、レンズ情報に基づいてマイクロレンズであることを判定した場合にステップＳ１９を肯定判定してステップＳ２０へ進む。ＣＰＵ２０は、マイクロレンズであることを判定していない場合にはステップＳ１９を否定判定し、ステップＳ２４へ進む。
【００４４】
ステップＳ２０において、ＣＰＵ２０は、図６に例示したレンズ鏡筒５０による被写界深度に応じて指向性を変化させるように、被写界深度と指向性可変マイク２３の指向性とを関連づける設定を行って図７による処理を終了する。なお、この場合のマイクロレンズは焦点距離が固定なので、絞り値が開放Ｆ値に相当する場合を狭指向性２３５（図２）とし、絞り値が最小絞りに相当する場合を広指向性２３１（図２）とする。ＣＰＵ２０は、絞り５２の絞り値が開放絞りと最小絞りとの間に位置する場合は、絞り値に応じて指向性を線形（リニア）に変化させる。具体的には、絞り段数に応じて指向性を段階的に変化させる。以上により、マイクロレンズの場合にも、上記「被写界深度モード」の処理と同様に行い得る。
【００４５】
上述したステップＳ１９を否定判定する場合は、レンズ鏡筒５０がレンズＣＰＵ５３を搭載していないか、レンズＣＰＵ５３との間の通信が行えない場合が想定される。この場合のＣＰＵ２０は、ステップＳ２４において、マイクモード設定が「ズームモード」か否かを判定する。ＣＰＵ２０は、「ズームモード」の場合にステップＳ２４を肯定判定してステップＳ２７へ進む。ＣＰＵ２０は、「ズームモード」でない場合には、ステップＳ２４を否定判定してステップＳ２５へ進む。なお、「指向性制御オフ」の場合は図７による説明の対象外である。
【００４６】
ステップＳ２５において、ＣＰＵ２０は、図６に例示したレンズ鏡筒５０による被写界深度に応じて指向性を変化させるように、被写界深度と指向性可変マイク２３の指向性とを関連づける設定を行って図７による処理を終了する。
【００４７】
ステップＳ２７において、ＣＰＵ２０は、図５に例示したレンズ鏡筒５０における焦点距離に応じて指向性を変化させるように、焦点距離と指向性可変マイク２３の指向性とを関連づける設定を行って図７による処理を終了する。
【００４８】
上述したステップＳ１１を否定判定する場合は、レンズ鏡筒５０が未装着の場合が想定される。この場合のＣＰＵ２０は、ステップＳ２１において、マイクモードの切り替え操作が行われたか否かを判定する。ＣＰＵ２０は、メニュー操作によってマイクモードの切り替え設定が行われた場合にステップＳ２１を肯定判定してステップＳ２２へ進む。ＣＰＵ２０は、マイクモードの切り替え設定が行われない場合にはステップＳ２１を否定判定し、ステップＳ１１へ戻る。
【００４９】
ステップＳ２２において、ＣＰＵ２０は、マイクモード設定が「ズームモード」か否かを判定する。ＣＰＵ２０は、「ズームモード」の場合にステップＳ２２を肯定判定してステップＳ２６へ進む。ＣＰＵ２０は、「ズームモード」でない場合には、ステップＳ２２を否定判定してステップＳ２３へ進む。なお、「指向性制御オフ」の場合は図７による説明の対象外である。
【００５０】
ステップＳ２３において、ＣＰＵ２０は、図６に例示したレンズ鏡筒５０による被写界深度に応じて指向性を変化させるように、被写界深度と指向性可変マイク２３の指向性とを関連づける設定を行って図７による処理を終了する。
【００５１】
ステップＳ２６において、ＣＰＵ２０は、図５に例示したレンズ鏡筒５０における焦点距離に応じて指向性を変化させるように、焦点距離と指向性可変マイク２３の指向性とを関連づける設定を行って図７による処理を終了する。
【００５２】
以上説明した実施形態によれば、次の作用効果が得られる。
（１）電子カメラ１は、撮影光学系５１を通して被写体像を撮像する撮像素子１２と、集音する指向性を第１指向性から第２指向性の範囲で変更する指向性可変マイク２３と、撮影光学系２１の特性情報を取得し、第１指向性から第２指向性までの全範囲にわたり、取得した特性情報に基づいて指向性を変更するように指向性可変マイク２３を制御するＣＰＵ２０とを備えるので、指向性可変マイク２３の指向性変更範囲を有効に利用できる。たとえば、広角系ズームレンズを使用する場合にはマイク２３の広指向性域近傍のみを使うことがなく、望遠系ズームレンズを使用する場合にはマイク２３の狭指向性域近傍のみを使うことがないので、装着されるレンズ鏡筒５０による撮影光学系５１にかかわらず、指向性可変マイク２３の指向性変更範囲の全域にわたって有効利用できる。
【００５３】
（２）ＣＰＵ２０は、撮影光学系５１の焦点距離情報または被写界深度情報に応じて指向性可変マイク２３の指向性を変更するように指向性可変マイク２３を制御するので、撮影中のズーミング効果と指向性による集音範囲とを同期させたり、撮影中のピントが合う被写体と集音範囲とを合致させたりすることができる。
【００５４】
（３）ＣＰＵ２０は、撮影光学系５１がズーム光学系であって、かつ設定されている絞り値に基づいてシャッター速度を制御する絞り優先モードである場合に、撮影光学系５１の被写界深度情報に応じて指向性可変マイク２３の指向性を変更するように指向性可変マイク２３を制御するので、絞り５２による被写界深度を優先させる撮影場面において、撮影中のピントが合う被写体と集音範囲とを合致させることができる。
【００５５】
（４）ＣＰＵ２０は、撮影光学系５１がズーム光学系であって、かつ設定されている絞り値に基づいてシャッター速度を制御する絞り優先モードでない場合に、撮影光学系５１の焦点距離情報に応じて指向性可変マイク２３の指向性を変更するように指向性可変マイク２３を制御するので、絞り５２による被写界深度を優先させる撮影場面と異なる場合には、撮影中のズーミング効果と指向性による集音範囲とを同期させることができる。
【００５６】
（５）ＣＰＵ２０は、撮影光学系５１が単焦点光学系である場合に、撮影光学系５１の被写界深度情報に応じて指向性可変マイク２３の指向性を変更するように指向性可変マイク２３を制御するので、ズーミングの必要がない撮影場面において、撮影中のピントが合う被写体と集音範囲とを合致させることができる。
【００５７】
（６）ＣＰＵ２０は、撮影光学系５１がマイクロ光学系である場合に、撮影光学系５１の被写界深度情報に応じて指向性可変マイク２３の指向性を変更するように指向性可変マイク２３を制御するので、ズーミングの必要がない撮影場面において、撮影中のピントが合う被写体と集音範囲とを合致させることができる。マイクロ光学系の場合は被写体深度が浅いので、集音範囲をより厳密に制御し得る。
【００５８】
（変形例１）
上述した説明では、焦点距離がテレ端とワイド端との間に位置する場合は、焦点距離に応じて指向性を線形（リニア）に変化させ、絞り５２の絞り値が開放絞りと最小絞りとの間に位置する場合は、被写界深度に応じて指向性を線形（リニア）に変化させるようにした。線形（リニア）に変化させる代わりに、たとえば重みを付けることによって非線形（ノンリニア）に変化させてもよい。非線形（ノンリニア）に変化させることで、段階的に変化させる指向性の変化率が一様でない状態を作る。
【００５９】
図８は、指向性と焦点距離との関連付けに用いる重みの一例を説明する図である。図８において、焦点距離が１８mm−２００mm（３５mm版換算）に相当するズームレンズの場合を例示する。ＣＰＵ２０は、装着されているレンズ鏡筒５０の撮影光学系５１がズームレンズである場合、焦点距離が最長（テレ端）に相当する場合を狭指向性２３５（図２）とし、焦点距離が最短（ワイド端）に相当する場合を広指向性２３１（図２）とする。この点については線形（リニア）に変化させる場合と同様である。
【００６０】
変形例１のＣＰＵ２０は、焦点距離がテレ端とワイド端との間に相当する場合は、焦点距離に応じて指向性を変化させる際に、たとえば、焦点距離が短領域であるワイド（広角）側において指向性の変化率を小さくし、焦点距離が長領域であるテレ側において指向性の変化率を大きくするように重み付けを行う。図８において、右側に示した焦点距離列は、ワイド側において指向性の変化率を小さくするように重み付けをした焦点距離列である。また、左側に示した比較用の焦点距離列は、指向性を線形（リニア）に変化させる場合の焦点距離列であり、段階的に変化させる指向性の変化率を一様な状態にする。
【００６１】
被写界深度に応じて指向性を非線形（ノンリニア）に変化させる場合も同様にできる。たとえば、被写界深度に応じて指向性を変化させる際に、たとえば、深度が深い側において指向性の変化率を小さくし、深度が浅い側において指向性の変化率を大きくするように重み付けを行う。
【００６２】
重み付けを行うことにより、所望する焦点距離範囲（または被写界深度範囲）において重点的にマイク２３の指向性を変化させることができる。なお、被写界深度に応じて指向性を非線形（ノンリニア）に変化させるための重みと、焦点距離に応じて指向性を非線形（ノンリニア）に変化させるための重みとは、それぞれ異なる値に設定して構わない。
【００６３】
（変形例２）
上述した非線形（ノンリニア）に変化させるための重みは、撮影シーン（たとえばポートレート撮影、風景撮影）モードに応じて異ならせてもよい。この場合のＣＰＵ２０は、たとえば、操作部材２２を構成する撮影シーンモード切替えダイヤルが切替え操作されることによって風景撮影モードからポートレート撮影モードに切替えられた場合に、重み値を変更する。これにより、撮影シーンごとに、被写界深度（または焦点距離）に応じて指向性を非線形（ノンリニア）に変化させることができる。
【００６４】
（変形例３）
装着されているレンズ鏡筒５０が単焦点レンズの場合は、フォーカス調節後のフォーカスレンズの位置に応じて指向性を線形（リニア）に変化させるように構成してもよい。フォーカス調節後のフォーカスレンズの位置は、フォーカス環の位置に対応する。この場合のＣＰＵ２０は、被写体までの距離が至近相当の場合を広指向性２３１（図２）とし、被写体までの距離が無限遠∞に相当する場合を狭指向性２３５（図２）とする。そして、被写体までの距離が至近端と無限端との間に位置する場合は、被写体までの距離に応じて指向性を線形（リニア）に変化させる。なお、必要に応じて重みを付けを行い、非線形（ノンリニア）に変化させてもよい。変形例３によれば、ズーミングの必要がない撮影場面において、撮影中のピントが合う被写体までの距離と集音範囲とを合致させることができる。
【００６５】
（変形例４）
魚眼レンズの場合は、ステップＳ１９を判定した場合と同様に、図６に例示したレンズ鏡筒５０による被写界深度に応じて指向性を変化させるように、被写界深度と指向性可変マイク２３の指向性とを関連づける設定を行って図７による処理を終了する。なお、この場合の魚眼レンズは焦点距離が固定なので、絞り値が開放Ｆ値に相当する場合を狭指向性２３５（図２）とし、絞り値が最小絞りに相当する場合を広指向性２３１（図２）とする。ＣＰＵ２０は、絞り５２の絞り値が開放絞りと最小絞りとの間に位置する場合は、絞り値に応じて指向性を線形（リニア）に変化させたり、重みをつけて非線形（ノンリニア）に変化させる。以上により、魚眼レンズの場合にも、上記「被写界深度モード」の処理と同様に行い得る。変形例４の場合には、ズーミングの必要がない撮影場面において、撮影中のピントが合う被写体と集音範囲とを合致させることができる。
【００６６】
（変形例５）
動画撮影時に指向性可変マイク２３で集音された音声を記録する録音をする例を説明したが、静止画撮影を行う際にも、撮影前または撮影後、あるいは当該撮影を挟んで所定時間録音する場合に、上述した指向性制御を行うように構成してもよい。
【００６７】
以上の説明はあくまで一例であり、上記の実施形態の構成に何ら限定されるものではない。
【符号の説明】
【００６８】
１…電子カメラ
１２…撮像素子
２０…ＣＰＵ
２２…操作部材
２３…指向性可変マイク
２４…音声処理回路
５０…レンズ鏡筒
５１…撮影光学系
５２…絞り
５３…レンズＣＰＵ
【図１】
2012010134.tif 000003
【図２】
2012010134.tif 000004
【図３】
2012010134.tif 000005
【図４】
2012010134.tif 000006
【図５】
2012010134.tif 000007
【図６】
2012010134.tif 000008
【図７】
2012010134.tif 000009
【図８】
2012010134.tif 000010